(57)【要約】【課題】保管ラックの載置構造の提供。【解決手段】この保管ラックの載置構造は、複数の支持梁、少なくとも四つの相互に平行に設置される支柱及び少なくとも一つの棚板を包含し、該支持梁は板材とされ、これら支持梁はその短辺両端の間に、該支持梁の長辺と等長の凸縁が設けられ、これら支持梁は地面に平行に並びに相互の間に平行四辺形を形成する方式で設置され、該支柱は板材とされ且つこれら支持梁に垂直に地面上に設置され、これら支柱はそれぞれ上述の平行四辺形の一角に設置され、各支柱のこれら支持梁に対応する内側にそれぞれ支柱の長辺と等長の噛み合わせ部材が設けられ、棚板の構成は上述の平行四辺形の形状に対応し、棚板は選択的に該凸縁の一つの表面上に設置され、棚板の各側辺の底可動部材は支持梁の表面に当接する。【選択図】図１
2015129048.tif 000002
【特許請求の範囲】
【請求項１】
保管ラックの載置構造において、
複数の支持梁であって、板材とされ、これら支持梁はその短辺である両端の間に、該支持梁の長辺と等長の凸縁が設けられ、これら支持梁は地面に平行に並びに相互の間に平行四辺形を形成する方式で設置される、上記支持梁と、
少なくとも四つの、相互に平行に設置される支柱であって、板材とされ、並びにこれら支持梁に垂直に地面上に設置され、これら支柱は上述の該平行四辺形の一角にそれぞれ設置され、各支柱の、これら支持梁の間に対応する内側部分に、該支柱の長辺と等長の噛み合わせ部材が設けられた、上記支柱と、
少なくとも一つの棚板であって、上述の平行四辺形の形状に対応する形状を有し、該棚板は選択的に該凸縁のその一つの表面上に設置され、該棚板の各側辺の底部は該支持梁の表面に当接する、上記棚板と、
を包含し、そのうち、該支柱は、板材を凹状に折り曲げてなり、第１板材部と第２板材部を具えたＬ形の板材とされ、該Ｌ形の板材の外側と内側の間に組み合わせ間隙を具えていることを特徴とする、保管ラックの載置構造。
【請求項２】
請求項１記載の保管ラックの載置構造において、該噛み合わせ部材は、該第１板材部と該第２板材部の間に位置し、該噛み合わせ部材は、該第１板材部と該第２板材部の内側を凹状に折り曲げてなり相互に緊密に係合するフック状形態を呈することを特徴とする、保管ラックの載置構造。
【請求項３】
請求項２記載の保管ラックの載置構造において、該フック状形態の該噛み合わせ部材は、該第１板材部と該第２板材部に不平行であるか、或いは該第１板材部或いは該第２板材部のいずれかに平行であることを特徴とする、保管ラックの載置構造。
【請求項４】
請求項１記載の保管ラックの載置構造において、該凸縁は該支持梁の板材を凹状に折り曲げてなるＵ字形の形態を有し、このＵ字形の凸縁の折り曲げ部分は相互に垂直を呈し且つ面取り部が形成されていることを特徴とする、保管ラックの載置構造。
【請求項５】
請求項１記載の保管ラックの載置構造において、該凸縁は該支持梁の板材を凹状に折り曲げてなる凸字形態を呈し、該凸字形態の凸縁の折り曲げ部分は相互に貼り合わされ並びに面取り部が形成されていることを特徴とする、保管ラックの載置構造。
【請求項６】
請求項１記載の保管ラックの載置構造において、該支持梁と該支柱は熱間圧延鋼板とされることを特徴とする、保管ラックの載置構造。
【請求項７】
請求項１記載の保管ラックの載置構造において、該支持梁の厚さは０．５ｍｍ〜２ｍｍとされ、該支柱の厚さは０．５ｍｍ〜１．５ｍｍとされることを特徴とする、保管ラックの載置構造。
【請求項８】
保管ラックの載置構造において、
複数の支持梁であって、板材とされ、これら支持梁はその短辺である両端の間に、該支持梁の長辺と等長の凸縁が設けられ、これら支持梁は地面に平行に並びに相互の間に平行四辺形を形成する方式で設置される、上記支持梁と、
少なくとも四つの、相互に平行に設置される支柱であって、板材とされ、並びにこれら支持梁に垂直に地面上に設置され、これら支柱は上述の該平行四辺形の一角にそれぞれ設置され、各支柱は、板材を凹状に折り曲げて形成されて第１板材部と第２板材部を具えたＬ形を呈し、該Ｌ形の板材の外側と内側の間に組み合わせ間隙を具えている、上記支柱と、
少なくとも一つの棚板であって、上述の平行四辺形の形状に対応する形状を有し、該棚板は選択的に該凸縁のその一つの表面上に設置され、該棚板の各側辺の底部は該支持梁の表面に当接する、上記棚板と、
を包含し、該第１板材部の、該Ｌ形の内側の折り曲げ部分は該第２板材部に向けて延伸され並びにその一部は該第２板材部の一部に接触し重ね合わされることを特徴とする、保管ラックの載置構造。
【請求項９】
請求項８記載の保管ラックの載置構造において、該第１板材部の、上述の延伸された部分の該第２板材部と重ね合わされない部分に、該支柱の長辺方向に沿って、複数のスロットが設けられ、該スロットは該組み合わせ間隙に連通し、該第２板材部の該第１板材部との重ね合わさった部分の端面の、上述のスロットに対応する位置に、係合部材が設けられ、これら係合部材はこれらスロットの一側と相互に噛み合うフック状形態とされることを特徴とする、保管ラックの載置構造。
【請求項１０】
請求項９記載の保管ラックの載置構造において、該第１板材部の該第２板材部と重ね合わされた部分は、該第２板材部の内側表面と重ね合わされるか、該第２板材部の外側表面と重ね合わされることを特徴とする、保管ラックの載置構造。
【請求項１１】
請求項８記載の保管ラックの載置構造において、該凸縁は該支持梁の板材を凹状に折り曲げてなるＵ字形の形態を有し、このＵ字形の凸縁の折り曲げ部分は相互に垂直を呈し且つ面取り部が形成されていることを特徴とする、保管ラックの載置構造。
【請求項１２】
請求項８記載の保管ラックの載置構造において、該凸縁は該支持梁の板材を凹状に折り曲げてなる凸字形態を呈し、該凸字形態の凸縁の折り曲げ部分は相互に貼り合わされ並びに面取り部が形成されていることを特徴とする、保管ラックの載置構造。
【請求項１３】
請求項８記載の保管ラックの載置構造において、該支持梁と該支柱は熱間圧延鋼板とされることを特徴とする、保管ラックの載置構造。
【請求項１４】
請求項８記載の保管ラックの載置構造において、該支持梁の厚さは０．５ｍｍ〜２ｍｍとされ、該支柱の厚さは０．５ｍｍ〜１．５ｍｍとされることを特徴とする、保管ラックの載置構造。
【請求項１５】
保管ラックの載置構造において、
複数の支持梁であって、板材とされ、これら支持梁はその短辺である両端の間に、該支持梁の長辺と等長の凸縁が設けられ、これら支持梁は地面に平行に並びに相互の間に平行四辺形を形成する方式で設置される、上記支持梁と、
少なくとも四つの、相互に平行に設置される支柱であって、板材とされ、並びにこれら支持梁に垂直に地面上に設置され、これら支柱は上述の該平行四辺形の一角にそれぞれ設置され、各支柱は、板材を凹状に折り曲げて形成されて第１板材部と第２板材部を具えたＬ形を呈し、該Ｌ形の板材の外側と内側の間に組み合わせ間隙を具えている、上記支柱と、
少なくとも一つの棚板であって、上述の平行四辺形の形状に対応する形状を有し、該棚板は選択的に該凸縁のその一つの表面上に設置され、該棚板の各側辺の底部は該支持梁の表面に当接する、上記棚板と、
を包含し、該第１板材部と該第２板材部のＬ形の折り曲げ部分の内側部分は相互に溶接されていることを特徴とする、保管ラックの載置構造。
【請求項１６】
請求項１５記載の保管ラックの載置構造において、該凸縁は該支持梁の板材を凹状に折り曲げてなるＵ字形の形態を有し、このＵ字形の凸縁の折り曲げ部分は相互に垂直を呈し且つ面取り部が形成されていることを特徴とする、保管ラックの載置構造。
【請求項１７】
請求項１５記載の保管ラックの載置構造において、該凸縁は該支持梁の板材を凹状に折り曲げてなる凸字形態を呈し、該凸字形態の凸縁の折り曲げ部分は相互に貼り合わされ並びに面取り部が形成されていることを特徴とする、保管ラックの載置構造。
【請求項１８】
請求項１５記載の保管ラックの載置構造において、該支持梁と該支柱は熱間圧延鋼板とされることを特徴とする、保管ラックの載置構造。
【請求項１９】
請求項１５記載の保管ラックの載置構造において、該支持梁の厚さは０．５ｍｍ〜２ｍｍとされ、該支柱の厚さは０．５ｍｍ〜１．５ｍｍとされることを特徴とする、保管ラックの載置構造。
【請求項２０】
請求項４、５、１１、１２、１６、１７のいずれか記載の保管ラックの載置構造において、該第１板材部と該第２板材部のＬ形の折り曲げ部分の外側部分は接合部とされ、高周波熱処理を使用して溶接されたことを特徴とする、保管ラックの載置構造。
【請求項２１】
請求項２０記載の保管ラックの載置構造において、該凸縁の両側の、該支持梁に近接する長辺の両端部分に、さらに組み合わせ部品が設けられ、これら組み合わせ部品はマッシュルーム形ロックボタンとされ、これらロックボタンはそれぞれ支持梁外に突伸し、且つ凸縁の他側に向けて設置されることを特徴とする、保管ラックの載置構造。
【請求項２２】
請求項２１記載の保管ラックの載置構造において、該凸縁の、該支持梁の長辺両端に近接する部分は、該凸縁の中心部分に向けて傾斜し、これにより該凸縁が平面視によると台形の形態を呈することを特徴とする、保管ラックの載置構造。
【請求項２３】
請求項２２記載の保管ラックの載置構造において、該凸縁の、該支持梁の短辺に対しての両側は、それぞれ上板材と下板材とされ、該上板材或いは該下板材の、該支持梁の長辺の両端に近接する部分に、下凹構造が設けられ、該下凹構造の幅は、該支柱の該第１板材部或いは該第２板材部の幅に等しいかそれより小さいことを特徴とする、保管ラックの載置構造。
【請求項２４】
請求項２３記載の保管ラックの載置構造において、該支柱の該第１板材部と該第２板材部にそれぞれ該支柱の長辺方向に沿って順に複数の、該組み合わせ間隙に連通する組み合わせ孔が設けられ、これら組み合わせ孔は上述の組み合わせ部品に対応するように配置され、これら組み合わせ部品は選択的にこれら組み合わせ間隙に向けてこれら組み合わせ孔中に挿入固定されることを特徴とする、保管ラックの載置構造。
【請求項２５】
請求項２４記載の保管ラックの載置構造において、該棚板は各側辺の表面が底部から上部に向けて漸次先細り、これによりその底部の該棚板の垂直中心線までの距離は、その上部の該棚板の垂直中心線までの距離より大きくなり、該棚板の側辺表面は該支持梁の表面との間に、各種アクセサリを収容するための空隙を形成することを特徴とする、保管ラックの載置構造。
【発明の詳細な説明】
【技術分野】
【０００１】
本発明は保管ラックの載置構造に係り、特にスピーディーに組み立てられ且つ高い耐荷重を持つ載置構造に関する。
【背景技術】
【０００２】
保管ラックは、各種の量販店、工場や倉庫、デパート或いは一般家庭において、物品或いは商品の販売、展示或いは保管に用いられる。周知の保管ラックは、異なる場所での応用のため、異なった規格要求を有し、たとえば、量販店での展示に応用する場合は、商品の種類が多く、商品形状も多様化しており、商品の更新速度も速く、保管ラックの商品保存の空間利用、分解組み立ての便利性、及び商品の重量により異なる耐荷重要求に対して、これらの全ての要求を満足させることは難しく、もし、保管ラックにこれら全ての規格要求を満足させられるようにするならば、製造コストもアップし、これもまた、メーカーが考慮せざるを得ない問題となる。
【発明の概要】
【発明が解決しようとする課題】
【０００３】
本発明は上述の周知の技術の問題を改善する一種の保管ラックの載置構造を提供することを目的とする。
【０００４】
すなわち、本発明は、特定の支持梁と支柱の構造設計により、該保管ラック１０に商品を保管するとき、その空間利用、分解組み立ての利便性、及び異なる商品の重量に対応する耐荷重の要求を同時に満足させ、並びに比較的低い製造コストを維持できる保管ラックの載置構造を提供することを目的とする。
【課題を解決するための手段】
【０００５】
上述の問題を改善するため、本発明は一種の保管ラックの載置構造を提供し、それは複数の支持梁、少なくとも四つの相互に平行に設置される支柱、及び少なくとも一つの棚板を包含する。
【０００６】
該支持梁は長条状板材とされ、これら支持梁はその短辺両端の間に、該支持梁の長辺と等長の凸縁が設けられ、これら支持梁は地面に平行に並びに相互の間に平行四辺形を形成する方式で設置される。
【０００７】
該凸縁は上述の該板材を凹状に折り曲げてなるＵ字形の形態を有し、Ｕ字形の凸縁の折り曲げ部分は相互に垂直を呈し且つ面取り部を有する。
【０００８】
さらに説明すると、上述の凸縁の両側且つ支持梁の長辺に近接する両端部分に、さらにそれぞれ組み合わせ部品が設けられ、これら組み合わせ部品はマッシュルーム形ロックボタンとされ、これらロックボタンはそれぞれ支持梁外に突伸し、且つ凸縁の他側に向けて設置される。
【０００９】
該支柱は板材とされ、並びにこれら支持梁に垂直に地面上に設置され、これら支柱は上述の該平行四辺形の一角にそれぞれ設置され、各支柱の、これら支持梁の間に対応する内側部分に、それぞれ支柱の長辺と等長の噛み合わせ部材が設けられ、そのうち、支柱は板材を凹状に折り曲げてなり、第１板材部と第２板材部を具えたＬ形の板材とされ、該Ｌ形の板材の外側と内側の間に組み合わせ間隙を具えている。
【００１０】
該噛み合わせ部材は、第１板材部と第２板材部の内側をそれぞれ熱間圧延工程で凹状に折り曲げてなり、相互に緊密に係合するフック状形態とされ、並びに第１板材部と第２板材部の間に設けられる。
【００１１】
以上述べたことをうけ、第１板材部と第２板材部はそれぞれ支柱の長辺方向に沿って、順に、複数の、組み合わせ間隙に連通する組み合わせ孔が設けられ、これら組み合わせ孔は上述のこれら組み合わせ部品に対向するように配置され、これら組み合わせ部品は組み合わせ間隙に向いた位置に選択的に、これら組み合わせ孔中に嵌合、固定される。
【００１２】
該棚板は、上述の該平行四辺形の形状に対応し、棚板は選択的に、該凸縁のその一つの表面上に設置され、該棚板の各側辺の底部は支持梁の表面に当接する。
【発明の効果】
【００１３】
上述の技術特徴に基づき、本発明に記載の保管ラックの載置構造は、その空間利用、分解組み立ての便利性、及び異なる商品の重量に応じた耐荷重の要求をともに満足させる。
【図面の簡単な説明】
【００１４】
【図１】本発明の保管ラックの載置構造の表示図である。
【図２】本発明の支柱の実施例の部分構造表示図である。
【図３】本発明の支柱の別の実施例の部分構造表示図である。
【図４】本発明の支柱のまた別の実施例の部分構造表示図である。
【図５】本発明の支柱のさらにまた別の実施例の部分構造表示図である。
【図６】本発明の支持梁の実施例の部分構造表示図である。
【図７】本発明の支持梁の別の実施例の部分構造表示図である。
【図８】本発明の支持梁と支柱の組み合わせの別の実施態様の表示図である。
【発明を実施するための形態】
【００１５】
以下に本発明の技術内容、構造特徴、達成する目的及び作用効果について、以下に例を挙げ並びに図面を組み合わせて詳細に説明する。
【００１６】
図１のＡ〜Ｃを参照されたい。本発明は一種の保管ラックの載置構造を開示し、本発明は以下の異なる実施例により説明される。保管ラック１０は、複数の支持梁３０、少なくとも四つの相互に平行に設置された支柱１００、及び少なくとも一つの棚板２０を包含する。
【００１７】
図１のＡ〜Ｃ、図２のＡ〜Ｃ、図６のＡ、Ｂをともに参照されたい。これは本発明の第１実施例であり、支持梁３０は長条状板体とされ、これら支持梁３０はその短辺両端の間に、これら支持梁３０の長辺と等長の凸縁３２が設けられ、これら支持梁３０は地面に平行に並びに相互の間に平行四辺形を形成する方式で設置され、支持梁３０は配置位置の違いにより異なる長さ設計を有する。
【００１８】
凸縁３２は上述の該板材を凹状に折り曲げてなるＵ字形形態を呈し、Ｕ字形の凸縁３２の折り曲げ部分は相互に垂直を呈し並びに面取り部が形成される。図７も参照されたい。本発明の支持梁４０は、前述の位置に凸縁４２が設けられ、凸縁４２は上述の該板材を折り曲げて形成された凸字形態とされ、凸字形態の凸縁４２の折り曲げ部分は相互に接合され並びに面取り部が形成されている。
【００１９】
さらに説明すると、上述の凸縁３２／４２の両側の、支持梁３０／４０の長辺両端部分にさらに組み合わせ部品３１／４１があり、これら組み合わせ部品３１／４１はマッシュルーム形ロックボタンとされ、これらロックボタンはそれぞれ支持梁３０／４０外に突出し、且つ凸縁３２／４２の他側に向けて設置される。
【００２０】
図１のＡ〜Ｃ、図２のＡ〜Ｃを参照されたい。支柱１００は長細い板材とされ、並びにこれら支持梁３０／４０に垂直に、地面上に設置され、これら支柱１００はそれぞれ上述の該平行四辺形の角に設置され、各支柱１００の、これら支持梁３０／４０間に対応する内側部分に、それぞれ支柱１００の長辺と等長の噛み合わせ部材１１０が設けられ、そのうち、支柱１００は板材を凹状に折り曲げて形成され、第１板材部１２０と第２板材部１３０を具えたＬ形の板材であり、該Ｌ形の板材の外側と内側の間に組み合わせ間隙１４０を有する。
【００２１】
噛み合わせ部材１１０は、第１板材部１２０と第２板材部１３０の内側部分を熱間圧延加工により凹状に折り曲げられてなり相互に緊密に係合するフック状形態とされ並びに第１板材部１２０と第２板材部１３０の間に設けられ、フック状形態の噛み合わせ部材１１０は第１板材部１２０と第２板材部１３０に不平行である。
【００２２】
以上に述べたことをうけ、第１板材部１２０と第２板材部１３０には、それぞれ支柱１００の長辺方向に沿って、順に複数の、組み合わせ間隙１４０に連通する組み合わせ孔１１２／１３１が設けられ、これら組み合わせ孔１２１／１３１は上述の組み合わせ部品３１／４１に対向する方向に配置され、これら組み合わせ部品３１／４１の、組み合わせ間隙１４０に向いた位置は、選択的に、これら組み合わせ孔１２１／１３１中に嵌合固定されるか組み合わせ孔１２１／１３１より分離される。
【００２３】
以上に述べたことをうけ、支持梁３０／４０と支柱１００は、冷間圧延鋼板（ＳＰＣＣ）、熱間圧延鋼板（ＳＰＨＣ）、亜鉛鉄板（ＳＰＧＣ）、或いは電気亜鉛めっき鋼鈑（ＳＥＣＣ）のいずれかとされ、好ましくは、熱間圧延鋼板（ＳＰＨＣ）とされるが、これに限定されるわけではなく、実際の必要により選択される。
【００２４】
支持梁３０／４０の厚さは、０．５ｍｍ〜２ｍｍ、好ましくは１．０ｍｍ、１．７ｍｍとされ、支柱１００の厚さは、０．５ｍｍ〜１．５ｍｍとされ、好ましくは０．７ｍｍ、０．８ｍｍ、１．０ｍｍとされる。
【００２５】
棚板２０は、上述の平行四辺形の形状に対応する形状に構成され、棚板２０は、選択的に凸縁３２／４２の一つの表面上に設置され、棚板２０の各側辺の底部は支柱１００の表面に当接する。
【００２６】
図３のＡ〜Ｃも参照されたい。これは本発明の別の実施例を示す。以下は第１実施例と異なる部品について説明を行ない、その他の類似の部分についてはここでは詳しく説明せず、類似の部品は上述の実施例の部品符号を援用する。
【００２７】
本実施例は、少なくとも四つの平行設置された支柱２００を有し、それは長細い板材とされ並びにこれら支持梁３０／４０に垂直に、地面上に設置され、これら支柱２００は、それぞれ上述の該平行四辺形の角に設置され、各支柱２００の、これら支持梁３０／４０の間に対応する内側部分に、それぞれ支柱２００の長辺と等長の噛み合わせ部材２１０が設けられる。そのうち、支柱２００は板材を凹状に折り曲げてなり、第１板材部２２０と第２板材部２３０を具えたＬ形を呈する板材とされ、このＬ形の板材の外側と内側の間に、組み合わせ間隙２４０がある。
【００２８】
噛み合わせ部材２１０は第１板材部２２０と第２板材部２３０の内側部分を、熱間圧延加工により凹状に折り曲げて形成され相互に緊密に係合するフック状形態を呈し並びに第１板材部２２０と第２板材部２３０の間に位置し、該噛み合わせ部材２１０は第１板材部２２０と第２板材部２３０のいずれかに平行とされ得るが、これに限定されるわけではなく、実際の必要に応じて設計される。
【００２９】
以上述べたことをうけ、第１板材部２２０と第２板材部２３０はそれぞれ支柱２００の長辺方向に沿って、順に複数の、組み合わせ間隙２４０に連通する組み合わせ孔２２１／２３１が設けられ、これら組み合わせ孔２２１／２３１は上述のこれら組み合わせ部品３１／４１に対向するように配置され、これら組み合わせ部品３１／４１の組み合わせ間隙２４０に向いた位置は、選択的にこれら組み合わせ孔２２１／２３１に嵌合固定されるか分離される。
【００３０】
図４のＡ〜Ｂも参照されたい。これは本発明のまた別の実施例を示す。以下に第１実施例と異なる部品について説明を行ない、その他の類似の部分についてはここでは詳しく説明せず、類似の部品は上述の実施例の部品符号を援用する。
【００３１】
本実施例は、少なくとも四つの平行設置された支柱３００を有し、それは一つの板材とされ並びにこれら支持梁３０／４０に垂直に、地面上に設置され、これら支柱３００は、それぞれ上述の該平行四辺形の角に設置される。各支柱３００は板材を凹状に折り曲げてなり、第１板材部３２０と第２板材部３３０を具えたＬ形を呈する板材とされ、このＬ形の板材の外側と内側の間に、組み合わせ間隙３４０がある。そのうち、該第１板材部３２０の、Ｌ形の内側の折り曲げ部分は、第２板材部３３０の方向に向けて延伸され、その一部は一部の第２板材部３３０と接触し重ね合わされている。
【００３２】
さらに説明すると、第１板材部３２０の前述の該延伸部分の第２板材部３３０と重ね合わされていない部分は、支柱３００の長辺方向に沿って、順に複数のスロット３２２が設けられ、これらスロット３２２は組み合わせ間隙３４０に連通し、第２板材部３３０の重ね合わされた部分の端面に、順に複数の、前述のこれらスロット３２２の位置に対応する係合部材３３２が設けられ、これら係合部材３３２はこれらスロット３２２の一側と相互にかみ合うフック状形態を呈する。そのうち、上述の第１板材部３２０の重なり合った部分は、第２板材部３３０の内表面と重ね合わされるか、或いは第２板材部３３０の外表面と重ね合わされるが、ここでは限定せず、それは、実際の必要により設計される。
【００３３】
以上述べたことをうけ、第１板材部３２０と第２板材部３３０にはそれぞれ支柱３００の長辺方向に沿って、順に複数の、組み合わせ間隙３４０に連通する組み合わせ孔３２１／３３１が設けられ、これら組み合わせ孔３２１／３３１は上述のこれら組み合わせ部品３１／４１に対向するように配置され、これら組み合わせ部品３１／４１の組み合わせ間隙３４０に向いた位置は、選択的にこれら組み合わせ孔３２１／３３１に嵌合固定されるか分離される。
【００３４】
図５のＡ〜Ｃを参照されたい。これは本発明のさらにまた別の実施例とされ、以下に第１実施例と異なる部品について説明を行ない、その他の類似の部分についてはここでは詳しく説明せず、類似の部品は上述の実施例の部品符号を援用する。
【００３５】
本実施例は、少なくとも四つの平行設置された支柱４００を有し、それは一つの板材とされ並びにこれら支持梁に垂直に、地面上に設置され、これら支柱４００は、それぞれ上述の該平行四辺形の角に設置される。各支柱４００は板材を凹状に折り曲げてなり、第１板材部４２０と第２板材部４３０を具えたＬ形を呈する板材とされ、このＬ形の板材の外側と内側の間に、組み合わせ間隙４４０がある。そのうち、該第１板材部４２０と第２板材部４３０のＬ形の折り曲げ部分の内側部分は、高周波熱処理を使用して溶接されている。
【００３６】
第１板材部４２０と第２板材部４３０にはそれぞれ支柱４００の長辺方向に沿って、順に複数の、組み合わせ間隙４４０に連通する組み合わせ孔４２１／４３１が設けられ、これら組み合わせ孔４２１／４３１は上述のこれら組み合わせ部品３１／４１に対向するように配置され、これら組み合わせ部品３１／４１の組み合わせ間隙４４０に向いた位置は、選択的にこれら組み合わせ孔４２１／４３１に嵌合固定されるか分離される。
【００３７】
図１のＡ〜Ｃ、図２のＡ〜Ｃ、図３のＡ〜Ｃ、図４のＡ〜Ｃ、図５のＡ〜Ｃをともに参照されたい。以上の各実施例で述べられたこれら支柱１００／２００／３００／４００は、第１板材部１２０／２２０／３２０／４２０と第２板材部１３０／２３０／３３０／４３０の構成するＬ形の折り曲げ部分の外側部分が、接合部１１１／２１１／３１１／４１１とされ、それは高周波熱処理により溶接され、その目的は、保管ラック１０全体の耐荷重能力を強化することにある。
【００３８】
図１のＡ〜Ｃ、図６のＡ〜Ｂ、図７のＡ〜Ｂも参照されたい。該支持梁３０／４０の長辺両端部分の該凸縁部分は、それぞれ該凸縁の中心に向けて傾斜し、該凸縁が平面視によると台形の形態とされ、棚板２０はさらに、各側辺の表面底部から上部へと漸次先細り、棚板２０の各側辺底部からその垂直中心線までの距離が、棚板２０の各側辺上部からその垂直中心線までの距離より大きくされ、その目的は、前述の棚板２０の側辺表面と支持梁３０／４０の表面に、各種アクセサリ、たとえばフック、クリップ等を収容できる空隙が形成される。
【００３９】
図６のＡ〜Ｂ、図７のＡ〜Ｂ、図８のＡ〜Ｃも参照されたい。本発明は上述の支持梁３０／４０のまた別の実施態様を記載し、上述の支持梁３０／４０と同じ部分については、ここでは詳しく説明せず、異なる部分についてのみ以下に説明する。
【００４０】
支持梁５０は短辺側の間に、長辺長さと等長の凸縁５２が設けられ、凸縁５２の支持梁５０の短辺側に向けて両側は、それぞれ上板材５３と下板材５４とされ、支持梁５０の上板材５３の長辺の両側に、下凹構造５３１が設けられ、下板材５４は選択的に下凹構造５３１を有するか有さないものとされ、下凹構造５３１の長さは使用者の必要により設計され、ここでは限定しない。
【００４１】
図１のＡ〜Ｃ、及び図８のＡ〜Ｃを参照されたい。支持梁５０の保管ラック１００における設置方式は、選択的に、上板材５３が上向きとされるか、或いは上板材５３が下向きとされ、保管ラック１００中の各位置のこれら支持梁は、使用者の必要により、それぞれ上述の支持梁３０／４０／５０の任意のいずれか或いは数種類が組み合わされ、並びに上述の支柱１００／２００／３００／４００の任意のものが組み合わされ、ここでは限定しない。さらに説明すると、下凹構造５３１の幅は、上述の支柱１００／２００／３００／４００の第１板材部１２０／２２０／３２０／４２０或いは第２板材部１３０／２３０／３３０／４３０の幅に等しいかそれより小さい。
【００４２】
総合すると、本発明の保管ラックの載置構造は、これらの特定の支持梁と支柱の構造設計により、該保管ラック１０に商品を保管するとき、その空間利用、分解組み立ての利便性、及び異なる商品の重量に対応する耐荷重の要求を同時に満足させ、並びに比較的低い製造コストを維持する。
【００４３】
しかし、以上は本発明の好ましい実施例の説明に過ぎず、並びに本発明を限定するものではなく、本発明に提示の精神より逸脱せずに完成されるその他の同等の効果の修飾或いは置換は、いずれも本発明の権利請求範囲内に属する。
【符号の説明】
【００４４】
１０  保管ラック
２０  棚板
３０  支持梁
３１  組み合わせ部品
３２  凸縁
４０  支持梁
４１  組み合わせ部品
４２  凸縁
５０  支持梁
５２  凸縁
５３  上板材
５３１  下凹構造
５４  下板材
１００  支柱
１１０  噛み合わせ部材
１１１  接合部
１２０  第１板材部
１２１  組み合わせ孔
１３０  第２板材部
１３１  組み合わせ孔
１４０  組み合わせ間隙
２００  支柱
２１０  噛み合わせ部材
２１１  接合部
２２０  第１板材部
２２１  組み合わせ孔
２３０  第２板材部
２３１  組み合わせ孔
２４０  組み合わせ間隙
３００  支柱
３１０  接合部
３２０  第１板材部
３２１  組み合わせ孔
３２２  スロット
３３０  第２板材部
３３１  組み合わせ孔
３３２  係合部材
３４０  組み合わせ間隙
４００  支柱
４１０  接合部
４２０  第１板材部
４２１  組み合わせ孔
４３０  第２板材部
４３１  組み合わせ孔
４４０  組み合わせ間隙
【図１】
2015129048.tif 000003
【図２】
2015129048.tif 000004
【図３】
2015129048.tif 000005
【図４】
2015129048.tif 000006
【図５】
2015129048.tif 000007
【図６】
2015129048.tif 000008
【図７】
2015129048.tif 000009
【図８】
2015129048.tif 000010